(57)【要約】【課題】積雪や凍結の状況にかかわらず、車椅子の操作を確実、かつ容易に行うとともに、積雪路および凍結路と通常路における使用切り替えを容易、かつ迅速に行う。【解決手段】少なくとも車椅子Ａにおけるすべての車輪１の接地面２を載置する載置面３を備え、この載置面３には、車椅子Ａの通常の前後動操作によって載置面３に対して車椅子を載せたり降ろしたりするアプローチ部４を連設する。【選択図】図１
0003096830.tif 000002
【実用新案登録請求の範囲】
【請求項１】
車椅子におけるすべての車輪の接地面を載置する載置面を備え、この載置面には、車椅子の通常の前後動操作によって載置面に対して車椅子を載せたり降ろしたりするアプローチ部が連設されている車椅子用そり。
【請求項２】
車輪の載置面からの脱落を阻止するようにしている請求項１に記載の車椅子用そり。
【請求項３】
そりの進行時に、前輪および後輪の少なくとも一方の前方回転を阻止するようにしている請求項１または請求項２に記載の車椅子用そり。
【請求項４】
そりの進行時に、前輪の回動を阻止するようにしている請求項１ないし請求項３いずれか１項に記載の車椅子用そり。
【請求項５】
そりの進行を阻止するストッパー部を備えている請求項１ないし請求項４いずれか１項に記載の車椅子用そり。
【請求項６】
左側の車輪を載置する載置面と右側の車輪を載置面とが左右に離間近接可能としている請求項１ないし請求項５いずれか１項に記載の車椅子用そり。
【考案の詳細な説明】
【０００１】
【考案の属する技術分野】
本考案は、積雪道路や凍結道路における車椅子の移動に用いられるそりに関する。
【０００２】
【従来の技術】
積雪路おける車椅子の移動をスムース、かつ安全に行うために、従来では、車椅子にそりを取り付けたものが提案されている。
たとえば、そりを車椅子に対して車輪の接地面よりも高い位置にして着脱可能に取り付けて、冬場の積雪路ではそりを取り付けた状態で使用し、冬場以外の通常路ではそりを取り外して使用する車椅子がある。（特許文献１参照）
また、そりを車椅子の後輪部位に上下動可能に取り付けて、冬場の積雪路または凍結路での使用では、そりを後輪接地面よりも低い位置まで下降させて後輪を積雪面または凍結面から離間させ、冬場以外の通常路では、そりを後輪接地面よりも高い位置まで上昇させて後輪を路面に接地させて使用する車椅子がある。（特許文献２参照）
【０００３】
【特許文献１】
実用新案登録第３０８７８８５号公報（〔０００５〕、〔図１〕）
【特許文献２】
特開２０００−２３２９９６号公報（〔０００６〕、〔図１〕、〔図２〕）
【０００４】
しかしながら、特許文献１の車椅子では、積雪が少ない場合においては、そりが積雪面から離間して、積雪面に車輪のみが接地することになるので、そりの効果を発揮できない状況が発生する。
特許文献２の車椅子では、そり使用時においては後輪が積雪面や凍結面から離間するので、積雪が少ない場合においてもそりの効果を発揮することができるものの、前輪がそのまま積雪面や凍結面上に接地しているので、たとえば、車椅子の前進時において前輪が積雪によって埋まったり、凍結面によって滑ったりして、車椅子の操作が行い難くなるということが発生する。
【０００５】
【考案が解決しようとする課題】
そこで本考案は、積雪や凍結の状況にかかわらず、車椅子の操作を確実、かつ容易に行うとともに、積雪路および凍結路と通常路における使用切り替えを容易、かつ迅速に行うことを課題とし、この課題を解決する車椅子用そりの提供を目的とする。
【０００６】
【課題を解決するための手段】
上記目的を達成するために本考案は下記の技術的手段を採用する。
その技術的手段は、図１に示すように、車椅子Ａにおけるすべての車輪１の接地面２を載置する載置面３を備え、この載置面３には、車椅子Ａの通常の前後動操作によって載置面３に対して車椅子を載せたり降ろしたりするアプローチ部４が連設されている車椅子用そりＢである。（請求項１）
【０００７】
本考案によれば、車椅子用そり（以下、「そり」と略称する。）Ｂを積雪面または凍結面に置き、車椅子Ａをアプローチ部４から前進させることにより、すべての車輪１の接地面２が載置面３に載置された状態で、車椅子ＡがそりＢ上にセットされる。
つまり、そりＢが積雪面上または凍結面上に接触し、車椅子Ａの車輪１のすべてがそりＢ上に有るので、この状態でそりＢを前進させれば、何ら抵抗無く容易に車椅子Ａの操作を行うことができる。
そして、載置された状態から車椅子Ａを後退させることによって、車椅子ＡをそりＢから簡単、かつ迅速に脱出させることができる。
【０００８】
【考案の実施の形態】
本考案のそりＢは、そりＢの進行中に車椅子Ａの落下を防止するために、車輪１の載置面３からの脱落を阻止する構成を備えている。（請求項２）
脱落を阻止する構成として、たとえば、図示するように、載置面３の左右縁部に壁面３１を立設する構成が例示できる。
【０００９】
本考案のそりＢは、車椅子Ａを押すことによってそりＢの進行を行う形態、そりＢを押してそりの進行を行う形態が含まれる。
車椅子Ａを押すことによってそりＢの進行を行う形態の場合、そりＢ上での前輪１０および後輪１１の少なくとも一方の前方回転を阻止（請求項３）して、車椅子Ａの押し力をそりに伝達することが例示できる。
前輪１０の前方回転を阻止する構成としては、たとえば、図示するように、そりＢのトップ部Ｂ３に前輪１０を接触させることによってその前方回転を阻止する構成が例示できる。
【００１０】
また、車椅子Ａの前輪１０は、左右方向に回動するため、そりＢの進行中に車椅子Ａが不安定になる可能性が有るため、そりＢの進行時に、前輪１０の回動を阻止する（請求項４）ことが好適である。
前輪１０の左右回動を阻止する構成としては、たとえば、図示するように、載置面３に前輪１０の左右を挟持して回動を防止する挟持部６を備える構成が例示できる。
【００１１】
さらに、車椅子ＡをそりＢへ載せたり降ろしたりするときに、そりＢがずれないように定位置に保持するために、図に示すように、そりの進行を阻止するストッパー部７を備える（請求項５）ことが好適である。
そして、車椅子Ａの横幅に対応および仕舞性の向上のために、図示するように、左側の車輪１を載置する載置面３と右側の車輪１を載置する載置面３とが左右に離間近接可能とする（請求項６）ことが好適である。
【００１２】
【実施例】
以下、本考案の実施例を図面に基づいて説明する。
本考案のそりＢは、左そりＢ１と右そりＢ２を左右一対とするものであり、左そりＢ１と右そりＢ２とは、伸縮可能な連結管５によって一体化してある。
連結管５は、前後２ヶ所あり、共に左そりＢ１と右そりのＢ２側部にそれぞれ固定したスライド管５１と、左右のスライド管５１が嵌合固定される固定管５２とから構成してある。
スライド管５１は、固定管５２の外周面からボルト５３を貫通ねじ込みし、貫通したボルト５３の先端の接触圧によって固定管５２に固定され、ボルト５３を緩めることによって固定管５２に対してスライドするようにしてある。
【００１３】
左そりＢ１と右そりＢ２のそれぞれには、そりＢの進行中に車椅子Ａの落下を防止するために、載置面３の左右縁部に壁面３１を立設してあり、壁面３１が立設されないテール部を車椅子Ａのアプローチ部４としている。
【００１４】
本実施例のそりＢは、車椅子Ａを押すことによってそりＢの進行を行う形態のものであり、そりＢのトップ部Ｂ３に前輪１０を接触させることによってその前方回転を阻止して、車椅子Ａに対する押し力をそりＢに伝達して進行させるようにしている。
そして、アプローチ部４から車椅子ＡをそりＢ上に載せて前進させ、前輪１０が前記トップ部Ｂ３に接触してそれ以上の前進が止められる。
【００１５】
また、本実施例のそりＢには、載置面３に車椅子Ａの前輪１０の左右を挟持して前輪１０の回動を防止する挟持部６を備えている。
挟持部６は、そりＢのトップ部Ｂ３から載置面３の前輪部分に亘り長手方向に沿って、前輪１０の左右に位置する凸条部６１を突設し、さらに凸条部６１の後端側を左右に拡開して前輪１０を左右の凸状部６１間へ導くように構成してある。
左右の凸状部６１の間隔は、前輪１０の幅よりもやや幅広とし、前輪１０を抵抗無く進入させ、しかも前輪１０の左右回動を防止できる間隔である。
【００１６】
さらに、本実施例のそりＢには、車椅子ＡをそりＢへ載せたり降ろしたりするときに、そりＢがずれないように定位置に保持するためのストッパー部７を備えている。
ストッパー部７は、前記後側の連結管５における固定管５２に前後方向回動可能に軸支してあり、前方へ回動させることによってそりＢの保持状態を解除し、後方へ回動させることによってそりＢが保持状態となるようにしている。
【００１７】
ストッパー部７の構成は、ストッパー本体７１と支持軸７２からなり、支持軸７２の先端にストッパー本体７１が固定され、支持軸７２の後端を前記固定管５２に前後方向回動可能に軸支してなる。
保持解除状態では、ストッパー本体７１が積雪面または凍結面から離間している状態となる位置において、支持軸７２が固定管５２に接触してそれ以上の回動が阻止される。（図１参照）
ストッパー本体７１は、略熊手状を呈する形態のものであり、保持状態において先端の凹凸部が積雪面または凍結面に突き刺さることでそりの進行を阻止し（図３参照）、保持解除状態において先端の凹凸部が積雪面または凍結面から離間してそりＢを進行可能とする。
【００１８】
なお、本考案は、例示した実施例における構造に限定されるものではなく、実用新案登録請求の範囲の各項に記載の範囲において、他の構造にすることも任意である。
【図面の簡単な説明】
【図１】本考案に係る車椅子用そりの断面図。
【図２】同、平面図。
【図３】保持状態を示す側面図。
【図４】左そりと右そりを離間させた状態の平面図。
【符号の説明】
Ａ：車椅子
Ｂ：車椅子用そり
１：車輪
２：接地面
３：載置面
４：アプローチ部
３１：壁面
Ｂ１：左そり
Ｂ２：右そり
Ｂ３：トップ部
１０：前輪
５：連結管
６：挟持部
７：ストッパー部
【図１】
0003096830.tif 000003
【図２】
0003096830.tif 000004
【図３】
0003096830.tif 000005
【図４】
0003096830.tif 000006